(57)【要約】【課題】端子間の短絡機能を持ったコネクタにおいて、酸化被膜によるショート端子と接続端子間の接触抵抗の増加を防止して接触信頼性を向上させることのできるコネクタを得る。【解決手段】一対の雄端子１７又は雌端子１３を短絡可能にするショート端子５１を備え、コネクタ嵌合時に一対の雄端子１７又は雌端子１３とショート端子５１との短絡を解除させるコネクタ１１であって、ショート端子５１が装着される雄ハウジング１９内又は雌ハウジング１５内に突設されコネクタ嵌合時に一対の雄端子１７又は雌端子１３とショート端子５１との間に挿入される短絡解除壁７５と、コネクタ嵌合操作及びコネクタ嵌合解除操作にてショート端子５１を押圧及び押圧解除するショート端子押し突起４７と、を備え、ショート端子５１はショート端子押し突起４７が押圧及び押圧解除することにより変形し一対の雄端子１７又は雌端子１３と接触する接点部６３が雄端子１７又は雌端子１３の外面を摺動する。【選択図】図１
2012134004.tif 000002
【特許請求の範囲】
【請求項１】
雌端子が装着される雌ハウジングと、前記雌端子と接続される雄端子が装着される雄ハウジングと、前記雌ハウジング又は前記雄ハウジングに装着され一対の雄端子又は雌端子を短絡可能にするショート端子とを備え、コネクタ嵌合時に前記一対の雄端子又は雌端子と前記ショート端子との短絡を解除させるコネクタであって、
前記ショート端子が装着される雄ハウジング内又は雌ハウジング内に突設されコネクタ嵌合することにより前記一対の雄端子又は雌端子と前記ショート端子との間に挿入される絶縁性を有した短絡解除壁と、コネクタ嵌合操作及びコネクタ嵌合解除操作にて前記ショート端子を押圧及び押圧解除するショート端子押し突起と、を備え、
前記ショート端子は前記ショート端子押し突起が押圧及び押圧解除することにより変形し前記一対の雄端子又は雌端子と接触する接点部が該雄端子又は雌端子の外面を摺動することを特徴とするコネクタ。
【請求項２】
請求項１記載のコネクタであって、
前記ショート端子押し突起の押圧解除によって前記接点部が前記雄端子又は雌端子の外面を摺動するときに、接触力を増大させる方向に前記ショート端子を押圧する乗り上げ突起が前記ショート端子の装着される雄ハウジング又は雌ハウジングに設けられていることを特徴とするコネクタ。
【発明の詳細な説明】
【技術分野】
【０００１】
本発明は、一対の雄端子又は雌端子を短絡可能にするショート端子を備えたコネクタに関する。
【背景技術】
【０００２】
エアバッグ回路に使用するコネクタにおいて、インフレータ関連の回路では、静電気による誤作動・誤爆を防止する目的で２極間を短絡するショート端子を設置する場合がある（特許文献１，２，３等参照）。例えば特許文献３に開示の図２１に示すフロントホルダ付きコネクタ５００は、ハウジング５０１内の端子収容室５０３の下方に、複数の端子収容室５０３のそれぞれに一部が連通する収納部５０５が設けられている。収納部５０５内には、一対の回路端子である接続端子５０７の両方に接触してこれらの接続端子５０７間を短絡させるショート端子としての短絡用弾性接触片５０９が収納されている。短絡用弾性接触片５０９は、導電性金属板を断面略楕円形に折曲げ加工して形成されており、一対の接触板部５１１を有している。収納部５０５内に収納された短絡用弾性接触片５０９は、その一対の接触板部５１１が端子収容室５０３内に突出し、一対の接続端子５０７に接触してこれらの接続端子５０７間を短絡させている。
【０００３】
これにより、一対の接続端子５０７同士間には電位差が生じないので、エアバッグ装置を自動車の車体に組み付ける際に電磁波や静電気に起因する電流が電線Ｗに流れても、エアバッグ装置（特に、インフレータ）の誤作動が防止される。なお、コネクタ５００と嵌合する電源側の相手コネクタ（不図示）には、相手方接続端子（不図示）および短絡解除バーである絶縁板（不図示）が配置されており、コネクタ５００を相手方コネクタに嵌合させると、接続端子５０７に相手方接続端子が結合して電気的に接続された後に、接続端子５０７と短絡用弾性接触片５０９との間に絶縁板が挿入され、短絡用弾性接触片５０９による短絡作用が解消されるようになっている。
【先行技術文献】
【特許文献】
【０００４】
【特許文献１】特開２０００−２９４３４５号公報
【特許文献２】特開２０００−３３１７４５号公報
【特許文献３】特開２００４−２７３２５２号公報
【発明の概要】
【発明が解決しようとする課題】
【０００５】
ところで、ショート端子が設置されたハウジングヘ回路端子を挿入する際には、ショート端子の接点部が飛び出している端子収容室内に回路端子が挿入されるため、ショート端子と回路端子間に接触荷重が与えられた状態で摺動する。雄ハウジング、雌ハウジングの嵌合時には相手側コネクタに設けられた短絡解除バーがショート瑞子と回路端子間に介入することで、短絡が解除される。一方、雄ハウジング、雌ハウジングを離脱し嵌合を解除する際には短絡解除バーがショート端子と回路端子間から抜けるため、再度２極間は短絡される。このときには両端子は摺動せずに再短絡される。
しかしながら、従来のフロントホルダ付きコネクタは、比較的長時間、短絡解除バーが回路端子とショート端子との間に介入されていると、短絡解除バーが抜かれた際に摺動せずに再短絡するため、回路端子とショート端子の接点に酸化被膜が形成されていた場合、回路端子とショート端子が接触した際に酸化被膜により接触抵抗が増加する可能性がある。この接触抵抗の増加は、特に異種金属メッキ接触に対して顕著となる。
【０００６】
本発明は上記状況に鑑みてなされたもので、その目的は、ショート端子による短絡時、酸化被膜による接触抵抗の増加を防止して接触信頼性を向上させることのできるコネクタを提供することにある。
【課題を解決するための手段】
【０００７】
本発明に係る上記目的は、下記構成により達成される。
（１）  雌端子が装着される雌ハウジングと、前記雌端子と接続される雄端子が装着される雄ハウジングと、前記雌ハウジング又は前記雄ハウジングに装着され一対の雄端子又は雌端子を短絡可能にするショート端子とを備え、コネクタ嵌合時に前記一対の雄端子又は雌端子と前記ショート端子との短絡を解除させるコネクタであって、前記ショート端子が装着される雄ハウジング内又は雌ハウジング内に突設されコネクタ嵌合することにより前記一対の雄端子又は雌端子と前記ショート端子との間に挿入される絶縁性を有した短絡解除壁と、コネクタ嵌合操作及びコネクタ嵌合解除操作にて前記ショート端子を押圧及び押圧解除するショート端子押し突起と、を備え、前記ショート端子は前記ショート端子押し突起が押圧及び押圧解除することにより変形し前記一対の雄端子又は雌端子と接触する接点部が該雄端子又は雌端子の外面を摺動することを特徴とするコネクタ。
【０００８】
このコネクタによれば、コネクタ嵌合時にはショート端子をショート端子押し突起で押して弾性変形させ、接点を摺動させた後に短絡解除壁に移動させて絶縁位置とし、コネクタ嵌合解除時にはショート端子の弾性復元力によって絶縁位置から接点を雄端子又は雌端子に摺動させる。これにより、コネクタ離脱時に再短絡する際にも雄端子又は雌端子とショート端子との間に摺動を起こして酸化被膜の破壊を可能にできる。
【０００９】
（２）  （１）のコネクタであって、前記ショート端子押し突起の押圧解除によって前記接点部が前記雄端子又は雌端子の外面を摺動するときに、接触力を増大させる方向に前記ショート端子を押圧する乗り上げ突起が前記ショート端子の装着される雄ハウジング又は雌ハウジングに設けられていることを特徴とするコネクタ。
【００１０】
このコネクタによれば、コネクタ嵌合時にはショート端子をショート端子押し突起で押して弾性変形させ、接点を摺動させた後に短絡解除壁に移動させて絶縁位置とする。このとき、ショート端子は乗り上げ突起から降りて弾性変形量が小さくなる。コネクタ嵌合解除時にはショート端子の弾性復元力によって絶縁位置から接点を雄端子又は雌端子に摺動させる。このとき、ショート端子は再び乗り上げ突起に乗り上げ、弾性変形量が大きくなって、摺動の際の接触力が増大する。これにより、コネクタ離脱時に再短絡する際にも酸化被膜の破壊が確実となる。
【発明の効果】
【００１１】
本発明に係るコネクタによれば、ショート端子と回路端子間で接触荷重を伴った摺動が生じるため、両端子表面の酸化被膜が機械的に破壊され、特に異種金属メッキ接触に対して接触信頼性が向上する。
【図面の簡単な説明】
【００１２】
【図１】本発明に係るコネクタの要部拡大部を併せて描いた断面図である。
【図２】雄ハウジングの一部破断した分解斜視図である。
【図３】雄ハウジングの正面図である。
【図４】雌ハウジングの分解斜視図である。
【図５】雌ハウジングの正面図である。
【図６】ショート端子の斜視図である。
【図７】図１に示したコネクタの嵌合途中の断面図である。
【図８】図１に示したコネクタの離脱途中の断面図である。
【図９】雄ハウジングにショート端子が備えられた第二の実施の形態に係るコネクタの要部拡大部を併せて描いた断面図である。
【図１０】図９に示した雄ハウジングの分解斜視図である。
【図１１】図１０に示した雄ハウジングの正面図である。
【図１２】図９に示した雌ハウジングの分解斜視図である。
【図１３】図１２に示した雌ハウジングの正面図である。
【図１４】図９に示したコネクタの嵌合途中の断面図である。
【図１５】図９に示したコネクタの離脱途中の断面図である。
【図１６】乗り上げ突起が設けられた第三の実施の形態に係るコネクタの要部拡大部を併せて描いた断面図である。
【図１７】図１６に示した雌ハウジングの斜視図である。
【図１８】図１７に示した雌ハウジングの正面図である。
【図１９】図１６に示したコネクタの嵌合途中の断面図である。
【図２０】図１６に示したコネクタの離脱途中の断面図である。
【図２１】従来のコネクタの断面図である。
【発明を実施するための形態】
【００１３】
以下、本発明の実施の形態を図面を参照して説明する。
図１は本発明に係るコネクタの要部拡大部を併せて描いた断面図、図２は雄ハウジングの一部破断した分解斜視図、図３は雄ハウジングの正面図、図４は雌ハウジングの分解斜視図、図５は雌ハウジングの正面図、図６はショート端子の斜視図である。
コネクタ１１は、雌端子１３が装着される雌ハウジング１５と、雌端子１３と接続される雄端子１７が装着される雄ハウジング１９とを有する。雄ハウジング１９と雌ハウジング１５は、それぞれ互いに嵌合可能となる。両ハウジングは、合成樹脂材から形成されている。なお、両ハウジングは、嵌合面側をそれぞれ前方とする。
【００１４】
先ず、雌ハウジング１５を嵌合可能な雄ハウジング１９について説明する。
図２に示す雄ハウジング１９は、雄ハウジング本体部２１とこれを取り囲む角筒状のフード部２３とから構成され、雄ハウジング本体部２１には複数の雄端子１７をそれぞれに収容する雄端子収容室２５（図１参照）が形成されている。雄端子収容室２５は雄端子１７を収容し、各雄端子１７は雄端子用ランス２７によって抜け止めがなされている。
【００１５】
雄端子１７のタブ２９は、雄端子収容室２５から前方に突出し、フード部２３内に臨んでおり、相手側の雌端子１３と接続可能とされている。このフード部２３の内壁には長手方向に沿って凸条３１が形成され、この凸条３１に雌ハウジング１５に設けられたガイド溝３３（図４参照）が係合されて、雌ハウジング１５の嵌合を案内するようになっている。
【００１６】
フード部２３の天板下面の中央にはロック突起３５が垂設され、ロック突起３５は雌ハウジング１５の上部に片持ち梁状で形成したロックアーム３７（図４参照）のロック係止部３９と係合する。雄ハウジング１９と雌ハウジング１５は、嵌合によってロック突起３５がロックアーム３７を押下し、嵌合完了と同時に弾性復元したロックアーム３７のロック係止部３９がロック突起３５と係合して離脱が規制される。嵌合ロックの解除は、ロックアーム３７の自由端となる解除操作部４１（図４参照）を押下することにより、ロック突起３５とロック係止部３９とを離反させて嵌合ロックが解除される。
【００１７】
フード部２３の奥に位置する雄ハウジング前壁部４３にはタブ２９の貫通するタブ貫通穴４５が形成されている。本実施の形態では、複数のタブ貫通穴４５が雄ハウジング前壁部４３に上下段に配設されている。この上下のタブ貫通穴４５の間には左右一対のショート端子押し突起４７が突設されている。ショート端子押し突起４７は、角柱状に形成され、コネクタ嵌合時に、雌ハウジング１５の後述するショート端子収容室４９（図４参照）に挿入される。このショート端子押し突起４７は、コネクタ嵌合操作及びコネクタ嵌合解除操作にて雌ハウジング１５内のショート端子５１を押圧及び押圧解除することになる。
【００１８】
次に、雌ハウジング１５について説明する。雌ハウジング１５は、雌ハウジング前壁部５３が雄ハウジング１９のフード部２３に挿入される。この雌ハウジング前壁部５３にはタブ２９に対応して複数のタブ受入孔５５が上下二段で形成されている。雌ハウジング本体部５７には雌端子１３を収容する雌端子収容室５９（図１参照）が形成され、雌端子収容室５９はタブ受入孔５５と通じる。雌端子収容室５９はそれぞれ雌端子１３を収容し、雌端子用ランス６１（図１参照）によって抜け止めがなされている。
【００１９】
雌ハウジング前壁部５３には上下段のタブ受入孔５５の間に、ショート端子収容室４９が開口されている。ショート端子収容室４９は上段の雌端子収容室５９の下方に形成され、ショート端子５１を収容する。このショート端子収容室４９には、上述した雄ハウジング前壁部４３から突出するショート端子押し突起４７が進入する。ショート端子収容室４９に進入したショート端子押し突起４７は、先端で収容されたショート端子５１を押すようになされている。
【００２０】
図６に示すように、ショート端子５１は、接点部６３、上下方向バネ部６５、嵌合方向バネ部６７、当接起立片６９、係止突起７１を有している。接点部６３は、一対の雌端子１３との接触部となる。上下方向バネ部６５は、雌端子１３を付勢するバネ性を有する。嵌合方向バネ部６７は、嵌合・嵌合解除に伴いショート端子５１を弾性変形させるバネ性を有し、このバネ性は雌端子１３の付勢力にも寄与する。当接起立片６９は、ショート端子押し突起４７の当接座となる。係止突起７１は、ショート端子５１をショート端子収容室４９の係止爪５０（図５参照）に係止して離脱を規制する。
【００２１】
雌端子収容室５９とショート端子収容室４９の間には図１に示す短絡解除壁７５が設けられている。短絡解除壁７５は、タブ２９の進入経路に沿うように突出して形成され、コネクタ嵌合することにより、ショート端子押し突起４７によって押されて後退したショート端子５１の接点部６３を乗り上げさせる。短絡解除壁７５に乗り上げた接点部６３は雌端子１３と隔絶されて絶縁される。ショート端子５１はショート端子押し突起４７が押圧及び押圧解除することにより変形し一対の雌端子１３と接触する接点部６３が雌端子１３の外面を摺動する。すなわち、ショート端子５１は、雌ハウジング１５に装着される一対の雌端子１３を短絡可能にするとともに、コネクタ嵌合時には一対の雌端子１３のショート端子５１による短絡を解除するよう動作する。
【００２２】
次に、上記のように構成されるコネクタ１１の作用を説明する。
図７は図１に示したコネクタ１１の嵌合途中の断面図、図８は図１に示したコネクタ１１の離脱途中の断面図である。
雌ハウジング１５のショート端子収容室４９にはショート端子５１が係止突起７１により係止され、雌端子収容室５９には雌端子１３が収容されている。このとき、ショート端子５１の接点部６３は上下方向バネ部６５の作用により接触荷重を与えられて一対の雌端子１３と接触し、隣接する２極間が短絡されている。雄ハウジング１９の雄端子収容室２５には雄端子１７が収容されている。
【００２３】
雌ハウジング１５と雄ハウジング１９の嵌合時には、まず雄端子１７が雌端子１３内に進入して回路が導通され、この時点では図７に示すようにまだ隣接回路間は短絡されている。その後、雄ハウジング１９に設けられたショート端子押し突起４７がショート端子５１の当接起立片６９と当接し、嵌合の進行に伴ってショート端子５１の嵌合方向バネ部６７が縮められて接点部６３が後方に移動する。
【００２４】
雌ハウジング１５の雌端子収容室５９とショート端子収容室間には短絡解除壁７５が設けられており、後方に移動したショート端子５１の接点部６３は図１に示すように短絡解除壁７５の下方に入るので、隣接する雌端子間の短絡が解除され、同時にコネクタ１１は嵌合が完了する。
【００２５】
一方、雌ハウジング１５と雄ハウジング１９の嵌合解除時には、ショート端子５１の嵌合方向バネ部６７は雄ハウジング１９のショート端子押し突起４７によって縮められた状態であるため、嵌合解除に伴って接点部６３が前方へ移動し、図８に示すように、短絡解除壁７５を超えた所で雌端子１３と接触する。この結果、ショート端子５１が再び一対の雌端子１３に接触して隣接回路間は短絡される。ここで、ショート端子５１の接点部６３と雌端子１３との間にはショート端子５１の上下方向バネ部６５の作用により接触荷重が与えられた状態で、嵌合方向バネ部６７による摺動が生じる。この摺動により、ショート端子５１及び雌端子１３の表面に生じた酸化被膜が破壊され、両端子間は確実に接触することになる。
【００２６】
このように、コネクタ１１では、コネクタ嵌合時にはショート端子５１をショート端子押し突起４７で押して弾性変形させ、接点部６３を摺動させた後に短絡解除壁７５に移動させて絶縁位置とし、コネクタ嵌合解除時にはショート端子５１の弾性復元力によって絶縁位置から接点部６３を雌端子１３に摺動させる。これにより、コネクタ離脱時に再短絡する際にも雌端子１３とショート端子５１との間に摺動を起こして酸化被膜の破壊を可能にできる。
【００２７】
また、本実施の形態によるコネクタ１１によれば、通常はショート端子５１と反対側の雄ハウジング１９に薄肉で成形される短絡解除壁７５の機能を、ショート端子収容室４９の内壁に形成するので、薄肉突起形状の短絡解除壁７５が不要となり、「どつき」による変形や成形不良の可能性が低下する副次的な効果も奏する。
【００２８】
なお、特許文献１，２の従来技術では、ショート端子は不図示のスライダ（可動体）に組付けた構造とされる。ショート端子とスライダをしまりばめで組付ければショート端子とスライダ間のガタつきは無くなるが、スライダが雄ハウジングに対して可動するために雄ハウジングとスライダ間にはガタが必要となる。この場合、ショート端子と雄ハウジング間にガタつきがある状態となり、ショート端子と雄端子間の接触を安定させるには雄ハウジング及びスライダに対する要求寸法精度が高くなってしまう。本構成では、ショート端子５１と雌ハウジング１５をしまりばめで組付ければショート端子５１と雌ハウジング間のガタつきがなく、嵌合検知部材の短絡解除はショート端子５１と雌端子１３の間にガイドとなる傾斜面を介して進入すればよいので、雌ハウジング１５及び嵌合検知部材に対する要求寸法精度は低くなる。これにより、各部品の要求寸法精度が緩和でき、先行技術に比べて製造が容易となる効果も奏する。
【００２９】
次に、ショート端子５１が上記の構成と逆の雄ハウジング１９に備えられる第二の実施の形態を説明する。
図９は雄ハウジング１９Ａにショート端子５１が備えられた第二の実施の形態に係るコネクタ１１Ａの要部拡大部を併せて描いた断面図、図１０は図９に示した雄ハウジング１９Ａの分解斜視図、図１１は図１０に示した雄ハウジング１９Ａの正面図、図１２は図９に示した雌ハウジング１５Ａの分解斜視図、図１３は図１２に示した雌ハウジング１５Ａの正面図、図１４は図９に示したコネクタ１１Ａの嵌合途中の断面図、図１５は図９に示したコネクタ１１Ａの離脱途中の断面図である。なお、以下の実施の形態において、図１〜図８に示した部材と同等の部位には同一の符号を付し重複する説明は省略する。
本実施の形態によるコネクタ１１Ａは、ショート端子５１が雄ハウジング１９Ａに備えられる。このため、雄ハウジング１９Ａには雄端子収容室２５の下方にショート端子収容室４９と、短絡解除壁７５とが設けられている。
【００３０】
一方、雌ハウジング１５Ａの雌ハウジング前壁部５３にはショート端子押し突起４７が突設され、ショート端子押し突起４７は雄ハウジング１９Ａのショート端子収容室４９に進入可能となっている。
【００３１】
このコネクタ１１Ａでは、図１４に示すように、雄ハウジング１９Ａのショート端子収容室４９にはショート端子５１が係止突起７１（図６参照）により係止され、雌端子収容室５９には雌端子１３が収容されている。このとき、ショート端子５１の接点部６３は上下方向バネ部６５の作用により接触荷重が与えられて雄端子１７と接触し、隣接する２極間が短絡されている。
【００３２】
雌ハウジング１５Ａと雄ハウジング１９Ａの嵌合時には、まず雄端子１７が雌端子１３内に進入して回路が導通され、図１４に示すように、この時点ではまだ隣接回路間は短絡されている。その後、雌ハウジング１５Ａに設けられたショート端子押し突起４７がショート端子５１の当接起立片６９と当接し、嵌合の進行に伴ってショート端子５１の嵌合方向バネ部６７が縮められて接点部６３が後方に移動する。
【００３３】
後方に移動したショート端子５１の接点部６３は図９に示すように、短絡解除壁７５の下方に入るので、隣接する雄端子間の短絡が解除され、同時にコネクタ１１Ａは嵌合が完了する。
【００３４】
一方、雌ハウジング１５Ａと雄ハウジング１９Ａの嵌合解除時には、ショート端子５１の嵌合方向バネ部６７は雌ハウジング１５Ａのショート端子押し突起４７によって縮められた状態であるため、嵌合解除に伴って接点部６３が前方へ移動し、図１５に示すように、短絡解除壁７５を超えた所で雄端子１７と接触する。この結果、ショート端子５１が再び一対の雄端子１７に接触して隣接回路間は短絡される。ここで、ショート端子５１の接点部６３と雄端子１７との間にはショート端子５１の上下方向バネ部６５により接触荷重が与えられた状態で、嵌合方向バネ部６７による摺動が生じる。この摺動により、ショート端子５１及び雄端子１７の表面に生じた酸化被膜が破壊され、両端子間は確実に接触することになる。
【００３５】
次に、乗り上げ突起７７が設けられた第三の実施の形態を説明する。
図１６は乗り上げ突起７７が設けられた第三の実施の形態に係るコネクタ１１Ｂの要部拡大部を併せて描いた断面図、図１７は図１６に示した雌ハウジング１５Ｂの斜視図、図１８は図１７に示した雌ハウジング１５Ｂの正面図である。
上記したコネクタ１１、コネクタ１１Ａは、ショート端子５１の装着される雄ハウジング１１、１１Ａ又は雌ハウジング１５、１５Ａに乗り上げ突起７７が設けられていることが好ましい。本実施の形態では、ショート端子５１が雌ハウジング１５Ｂに備えられる場合を例に説明する。したがって、乗り上げ突起７７は雌ハウジング１５Ｂに形成されることになる。
【００３６】
図１７，図１８に示すように、乗り上げ突起７７は、各ショート端子収容室４９の底面前側に一対ずつ突設される。乗り上げ突起７７の突起後部７９は弾性復帰して前方に移動したショート端子５１が乗り上がり易くなる傾斜面となる。乗り上げ突起７７は、コネクタ嵌合解除時、ショート端子押し突起４７の押圧解除によって接点部６３が雌端子１３の外面を摺動するときに、ショート端子５１が乗り上がることで、結果的に、接触力を増大させる方向に反力によってショート端子５１を押圧することになる。
【００３７】
次に、上記のように構成されるコネクタ１１Ｂの作用を説明する。
図１９は図１６に示したコネクタ１１Ｂの嵌合途中の断面図、図２０は図１６に示したコネクタ１１Ｂの離脱途中の断面図である。
雌ハウジング１５Ｂのショート端子収容室４９にはショート端子５１が係止突起７１（図６参照）により係止され、雌端子収容室５９には雌端子１３が収容されている。このとき、ショート端子５１は乗り上げ突起７７に乗り上げており、上下方向バネ部６５の作用により強い接触荷重を与えられて雌端子１３と接触し、隣接する２極間が短絡されている。雄ハウジング１９Ｂの雄端子収容室２５には雄端子１７が収容されている。
【００３８】
雌ハウジング１５Ｂと雄ハウジング１９Ｂの嵌合時には、図１９に示すように、まず雄端子１７が雌端子１３内に進入して回路が導通され、この時点ではまだ隣接回路間は短絡されている。その後、雄ハウジング１９Ｂに設けられたショート端子押し突起４７がショート端子５１の当接起立片６９と当接し、嵌合の進行に伴ってショート端子５１の嵌合方向バネ部６７が縮められて接点部６３が後方に移動する。
【００３９】
雌ハウジング１５Ｂの雌端子収容室５９とショート端子収容室４９間には短絡解除壁７５が設けられており、後方に移動したショート端子５１の接点部６３は図１６に示すように、短絡解除壁７５の下方に入るので、隣接する雌端子間の短絡が解除され、同時にコネクタ１１Ｂは嵌合が完了する。このとき、ショート端子５１は乗り上げ突起７７から降りるので、変形が緩和され、短絡解除壁７５からの反力によって過圧縮となって塑性変形となることが防止される。
【００４０】
一方、雄ハウジング１９Ｂ、雌ハウジング１５Ｂの嵌合解除時には、ショート端子５１の嵌合方向バネ部６７は雄ハウジング１９Ｂのショート端子押し突起４７によって縮められた状態であるため、嵌合解除に伴って接点部６３が前方へ移動し、短絡解除壁７５を超えた所で雌端子１３と接触する。この結果、ショート端子５１が再び一対の雌端子１３に接触して隣接回路間は短絡される。ここで、ショート端子５１は図２０に示すように、乗り上げ突起７７に再度乗り上げ、ショート端子５１の接点部６３と雌端子１３との間にはショート端子５１の上下方向バネ部６５の作用により強い接触荷重が与えられた状態で、嵌合方向バネ部６７による摺動が生じる。この摺動により、ショート端子５１及び雌端子１３の表面に生じた酸化被膜が破壊され、両端子間は確実に接触することになる。
【００４１】
このように、このコネクタ１１Ｂでは、コネクタ嵌合時にはショート端子５１をショート端子押し突起４７で押して弾性変形させ、接点を摺動させた後に短絡解除壁７５に移動させて絶縁位置とする。このとき、ショート端子５１は乗り上げ突起７７から降りて弾性変形量が小さくなる。コネクタ嵌合解除時にはショート端子５１の弾性復元力によって絶縁位置から接点を雌端子１３に摺動させる。このとき、ショート端子５１は再び乗り上げ突起７７に乗り上げ、弾性変形量が大きくなって、摺動の際の接触力が増大する。これにより、コネクタ離脱時に再短絡する際にも酸化被膜の破壊が確実となる。
【００４２】
したがって、上記した各実施の形態に係るコネクタ１１、１１Ａ、１１Ｂによれば、ショート端子５１と回路端子間で接触荷重を伴った摺動が生じるため、両端子表面の酸化被膜が機械的に破壊され、特に異種金属メッキ接触に対しても接触信頼性が向上する。
【符号の説明】
【００４３】
１１  コネクタ
１３  雌端子
１５  雌ハウジング
１７  雄端子
１９  雄ハウジング
４７  ショート端子押し突起
４９  ショート端子収容室
５１  ショート端子
６３  接点部
７５  短絡解除壁
７７  乗り上げ突起
【図１】
2012134004.tif 000003
【図２】
2012134004.tif 000004
【図３】
2012134004.tif 000005
【図４】
2012134004.tif 000006
【図５】
2012134004.tif 000007
【図６】
2012134004.tif 000008
【図７】
2012134004.tif 000009
【図８】
2012134004.tif 000010
【図９】
2012134004.tif 000011
【図１０】
2012134004.tif 000012
【図１１】
2012134004.tif 000013
【図１２】
2012134004.tif 000014
【図１３】
2012134004.tif 000015
【図１４】
2012134004.tif 000016
【図１５】
2012134004.tif 000017
【図１６】
2012134004.tif 000018
【図１７】
2012134004.tif 000019
【図１８】
2012134004.tif 000020
【図１９】
2012134004.tif 000021
【図２０】
2012134004.tif 000022
【図２１】
2012134004.tif 000023